【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
顧客と契約業者との間の自動交渉プロトコルを実施するシステムであって、前記システムは、
複数のショッピングパラメータをユーザから受信するためにネットワークに結合されたデータ受信器と、
複数のクローラであって、前記複数のクローラは、前記業者の期限切れになる在庫に関するデータを取得するために複数のプロキシアドレスを利用するものであり、前記期限切れになる在庫は、既定の時間以内における期限切れ日を有している、複数のクローラと、
前記期限切れになる在庫に関する前記データを記憶するためのデータベースと、
複数の命令を記憶するメモリに結合されたプロセッサであって、前記命令は、前記プロセッサによって実行された際に、
前記プロセッサによって、市場における期限切れになる在庫の統計的分布を分析することに基づいて、前記業者の前記期限切れになる在庫内の項目についての推奨入札額を生成するステップであって、前記市場における期限切れになる在庫は、前記業者の前記期限切れになる在庫及び他の業者からの期限切れになる在庫を含んでいる、ステップと、
ユーザインタフェースを介して、前記ユーザに前記ショッピングパラメータを入力するよう促すステップと、
前記業者の前記期限切れになる在庫に関する前記データからの１つ以上の項目が、前記ショッピングパラメータと合致することを決定するステップと、
前記ユーザインタフェースを介して、前記１つ以上の項目を選択のために前記ユーザに提示するステップであって、前記１つ以上の項目の提示は、前記１つ以上の項目中の各項目についての自動交渉プロセスを入力するためのオプションを含んでいる、ステップと、
前記各項目についての自動交渉プロセスを入力するための前記オプションを前記ユーザが選択したことを検出した際に、前記ユーザインタフェースを介して、前記ユーザに顧客オファーを入力するよう促すステップと、
前記顧客オファーを受諾する又は拒否するか、カウンターオファーによって前記顧客オファーに対抗するかを、前記業者に代わり、既定の一連の規則に基づいて自動的に決定するステップであって、前記カウンターオファーは、前記各項目についての推奨入札額として設定される、ステップと、
前記顧客が前記カウンターオファーを受諾した場合に、前記業者に代わり、前記各項目についての取引を受諾するステップと
を前記システムに対して行わせる、プロセッサと
を備えている、システム。
【請求項２】
前記システムは、さらに、
前記顧客が前記カウンターオファーを受諾しなかった場合に、前記顧客のショッピングパラメータ及び前記顧客オファーに基づいて代替の項目を提示するようにさせられる、請求項１に記載のシステム。
【請求項３】
前記一連の規則は、前記顧客オファーを受諾するかどうかの自動決定の基礎となる料金範囲を含んでいる、請求項１に記載のシステム。
【請求項４】
前記一連の規則は、前記顧客オファーが前記各項目についての前記推奨入札額の既定のパーセンテージの範囲内にある場合に、前記カウンターオファーを提示することを含んでいる、請求項１に記載のシステム。
【請求項５】
前記一連の規則は、前記顧客オファーが前記各項目についての前記推奨入札額の既定の割合の範囲内にない場合に、前記顧客オファーを拒否することを含んでいる、請求項１に記載のシステム。
【請求項６】
前記システムは、さらに、前記期限切れになる在庫に関する前記データを定期的に更新するようにさせられる、請求項１に記載のシステム。
【請求項７】
前記システムは、さらに、
前記ユーザインタフェースを介して、前記顧客オファーが受諾された又は拒否されたか、又は前記カウンターオファーを受ける資格があるかを前記ユーザに通知するステップと、
前記ユーザインタフェースを介して、前記カウンターオファーを前記ユーザに提示するステップと、
前記ユーザインタフェースを介して、代替の物件を前記ユーザに提示するステップと
を行うようにさせられる、請求項１に記載のシステム。
【請求項８】
前記システムは、さらに、前記顧客オファーが前記推奨入札額よりも高い場合に、前記顧客オファーを受諾するようにさせられる、請求項１に記載のシステム。
【請求項９】
前記システムは、さらに、
前記顧客オファーが前記推奨入札額よりも低い場合に、前記顧客オファーを拒否するようにさせられる、請求項１に記載のシステム。
【請求項１０】
前記システムは、さらに、前記顧客オファーが前記推奨入札額よりも低いが前記推奨入札額の既定のパーセンテージより高い場合に、前記カウンターオファーを提供するようにさせられる、請求項９に記載のシステム。
【請求項１１】
前記システムは、さらに、
前記各項目について、前記市場における期限切れになる在庫から競合群を生成するステップと、
前記競合群の平均客室単価（ＡＤＲ）を計算するステップと、
前記競合群から最低階層のＡＤＲ及び最高階層のＡＤＲを計算するステップであって、前記最低階層は、前記競合群の下限におけるアスク価格を有する選択された数の項目を含んでおり、前記最高階層は、前記競合群の上限におけるアスク価格を有する選択された数の項目を含んでいる、ステップと、
前記競合群のＡＤＲ、前記最低階層のＡＤＲ及び前記最高階層のＡＤＲに基づいて、前記推奨入札額を生成するステップと
を備えている複数のステップによって、前記推奨入札額を生成するようにさせられる、請求項１に記載のシステム。
【請求項１２】
前記システムは、さらに、
前記競合群内における外れ項目を発見するステップであって、前記外れ項目は、前記競合群における価格の統計的分布から既定の程度に逸脱するアスク価格を有する項目を含んでいる、ステップと、
前記競合群から前記外れ項目を除外するステップと
を備えている複数のステップによって、前記競合群を調節するようにさせられる、請求項１１に記載のシステム。
【請求項１３】
前記システムは、さらに、
前記競合群のＡＤＲが前記最低階層のＡＤＲと前記最高階層のＡＤＲとの間にある場合に、前記推奨入札額を前記競合群のＡＤＲとして設定することにより前記推奨入札額を生成するようにさせられる、請求項１１に記載のシステム。
【請求項１４】
前記システムは、さらに、
前記競合群のＡＤＲが前記最低階層のＡＤＲよりも低い場合に、前記推奨入札額を前記最低階層のＡＤＲと前記最高階層のＡＤＲとの間の中点値として設定することにより前記推奨入札額を生成するようにさせられる、請求項１１に記載のシステム。
【請求項１５】
顧客と業者との間の自動交渉プロトコルを実施する方法であって、前記方法は、
ネットワークに結合されたデータ受信器にて、複数のショッピングパラメータをユーザから受信するステップであって、前記ショッピングパラメータは、価格における顧客オファー、対象物件及び複数の物件基準を含んでいる、ステップと、
複数のクローラを介して、前記業者の期限切れになる在庫に関するデータを取得するために複数のプロキシアドレスを利用するステップであって、前記期限切れになる在庫は、既定の時間以内における期限切れ日を有している、ステップと、
データベース内における前記期限切れになる在庫に関する前記データを記憶するステップと、
前記業者が契約業者であるかどうかを決定するステップと、
（１）前記業者が契約業者であると決定された場合における第１モードにおいて、
プロセッサによって、市場における期限切れになる在庫の統計的分布を分析することに基づいて、前記業者の前記期限切れになる在庫内の項目についての推奨入札額を生成するステップであって、前記市場における期限切れになる在庫は、前記業者の前記期限切れになる在庫及び他の業者からの期限切れになる在庫を含んでいる、ステップと、
ユーザインタフェースを介して、前記ユーザに前記ショッピングパラメータを入力するよう促すステップと、
前記業者の前記期限切れになる在庫に関する前記データからの１つ以上の項目が、前記ショッピングパラメータと合致することを決定するステップと、
前記ユーザインタフェースを介して、前記１つ以上の項目を選択のために前記ユーザに提示するステップであって、前記１つ以上の項目の提示は、前記１つ以上の項目中の各項目についての自動交渉プロセスを入力するためのオプションを含んでいる、ステップと、
前記各項目についての自動交渉プロセスを入力するための前記オプションを前記ユーザが選択したことを検出した際に、前記ユーザインタフェースを介して、前記ユーザに顧客オファーを入力するよう促すステップと、
前記顧客オファーを受諾する又は拒否するか、カウンターオファーによって前記顧客オファーに対抗するかを、前記業者に代わり、既定の一連の規則に基づいて自動的に決定するステップであって、前記カウンターオファーは、前記各項目についての推奨入札額として設定される、ステップと、
前記顧客が前記カウンターオファーを受諾した場合に、前記業者に代わり、前記各項目についての取引を受諾するステップと、
（２）前記業者が契約業者でないと決定された場合における第２モードにおいて、
関連性データを収集するステップであって、前記関連性データの関連性は、前記ショッピングパラメータに基づいて評価される、ステップと、
前記関連性データの統計的分布の分析を行うことによって、推奨入札額を生成するステップと、
前記ユーザに代わり、前記業者に前記顧客オファーを提示するステップと、
前記業者が前記顧客オファーを辞退した場合に、前記ユーザに代わり、前記業者に前記推奨入札額をカウンターオファーとして提示するステップと、
前記業者が前記カウンターオファーを受諾した場合に、前記顧客に代わり、前記取引を受諾するステップと
を備えている、方法。